(57)【要約】【課題】画質調整の種類に従って表示所要時間の表示分解能を変える。【解決手段】画像形成装置１００は、記録媒体に画像を形成する画像形成部３２０と、画像形成部により形成される画像の複数の画質調整を実行する画質調整部３０１と、複数の画質調整のうち画質調整部により実行される画質調整の所要時間を予測する画質調整時間予測部３０１と、画質調整時間予測部により予測された表示所要時間を表示する表示部３３４と、を備え、画質調整時間予測部は、画質調整部により実行される画質調整の種類に従って表示所要時間の表示分解能を変える。【選択図】図６
2017116720.tif 000002
【特許請求の範囲】
【請求項１】
記録媒体に画像を形成する画像形成部と、
前記画像形成部により形成される前記画像の複数の画質調整を実行する画質調整部と、
前記複数の画質調整のうち前記画質調整部により実行される画質調整の所要時間を予測する画質調整時間予測部と、
前記画質調整時間予測部により予測された表示所要時間を表示する表示部と、
を備え、
前記画質調整時間予測部は、前記画質調整部により実行される前記画質調整の種類に従って前記表示所要時間の表示分解能を変えることを特徴とする画像形成装置。
【請求項２】
前記画質調整部が前記複数の画質調整のうちの少なくとも二つの画質調整を連続して実行する場合、前記画質調整時間予測部は、前記少なくとも二つの画質調整のそれぞれの前記種類に従って前記表示所要時間の前記表示分解能を変えることを特徴とする請求項１に記載の画像形成装置。
【請求項３】
前記画質調整時間予測部は、前記少なくとも二つの画質調整の所要時間の合計値と前記表示分解能とに基づいて、前記表示部に表示する前記表示所要時間を予測する請求項２に記載の画像形成装置。
【請求項４】
前記画質調整時間予測部は、前記少なくとも二つの画質調整のうちの一つの画質調整が終了する毎に、前記所要時間を再予測し、再予測した所要時間に基づいて前記表示部に表示される前記表示所要時間を更新することを特徴とする請求項２又は３に記載の画像形成装置。
【請求項５】
前記画質調整時間予測部は、前記複数の画質調整のうち再調整が実行される可能性を有する第一の画質調整の第一の所要時間の第一の表示分解能より、再調整が実行される可能性が無い第二の画質調整の第二の所要時間の第二の表示分解能を細かくすることを特徴とする請求項１乃至４のいずれか一項に記載の画像形成装置。
【請求項６】
前記第一の表示分解能は、前記第一の所要時間より大きいことを特徴とする請求項５に記載の画像形成装置。
【請求項７】
前記少なくとも二つの画質調整が前記複数の画質調整のうち再調整が実行される可能性を有する第一の画質調整を含む場合、前記画質調整時間予測部は、再調整が実行される可能性が無い第二の画質調整の第二の表示分解能より粗い第一の表示分解能で前記表示所要時間を前記表示部に表示させることを特徴とする請求項２又は３に記載の画像形成装置。
【請求項８】
前記表示分解能は、単位時間であり、前記表示部に表示される前記表示所要時間は、前記単位時間ごとに前記単位時間を減ぜられることを特徴とする請求項１乃至７のいずれか一項に記載の画像形成装置。
【請求項９】
前記画質調整部は、画像形成動作中に所定の実行条件が満たされた場合、画像形成動作を中断して前記複数の画質調整のうちの前記所定の実行条件が満たされた画質調整を開始し、前記画質調整の終了後、前記画像形成を再開することを特徴とする請求項１乃至８のいずれか一項に記載の画像形成装置。
【発明の詳細な説明】
【技術分野】
【０００１】
本発明は、記録媒体に画像を形成する画像形成装置に関する。
【背景技術】
【０００２】
従来、複写機、プリンタ等の画像形成装置においては、ユーザが成果物を得られる時刻を予測したり、画像形成装置が次に使用可能となる時刻を予測したりするために、プリントジョブ所要時間の表示を行っている。また、複写機、プリンタ等の画像形成装置においては、良好な画質を維持するため、非画像形成中に画質調整動作を行っている。
【０００３】
特許文献１は、前述したプリントジョブ所要時間の表示の際、画質調整動作による時間も含めてカウントダウン表示することで、表示するプリントジョブ所要時間の精度向上を行っている。
【先行技術文献】
【特許文献】
【０００４】
【特許文献１】特開２００７−１１４２８９号公報
【発明の概要】
【発明が解決しようとする課題】
【０００５】
従来、画質調整の表示所要時間（残り時間）を表示するために、画質調整の種類ごとに予め定められた所要時間を用いている。また、画質調整において適正な結果が得られない場合、その画質調整を再度実行する再調整（以下、リトライ動作という。）を実行することがある。従来、画質調整動作においてリトライ動作を行う場合とリトライ動作を行わない場合で、予め定めた所要時間から求めた表示所要時間を同じ単位時間でカウントダウン表示している。しかし、リトライ動作が行なわれる場合、表示所要時間から同じ単位時間でカウントダウンされた残り時間が０になっているはずであると推測されるのに、実際には、更にある時間待たないと画像形成が再開されないということがある。そのため、ユーザは、画質調整が開始された後、表示所要時間から出力物を回収できるタイミングを推測しにくいという課題があった。
【０００６】
そこで、本発明は、画質調整の種類に従って表示所要時間の表示分解能を変えることができる画像形成装置を提供する。
【課題を解決するための手段】
【０００７】
本発明の一実施例による画像形成装置は、
記録媒体に画像を形成する画像形成部と、
前記画像形成部により形成される前記画像の複数の画質調整を実行する画質調整部と、
前記複数の画質調整のうち前記画質調整部により実行される画質調整の所要時間を予測する画質調整時間予測部と、
前記画質調整時間予測部により予測された表示所要時間を表示する表示部と、
を備え、
前記画質調整時間予測部は、前記画質調整部により実行される前記画質調整の種類に従って前記表示所要時間の表示分解能を変えることを特徴とする。
【発明の効果】
【０００８】
本発明によれば、画質調整の種類に従って表示所要時間の表示分解能を変えることができる。
【図面の簡単な説明】
【０００９】
【図１】画像形成装置の断面図。
【図２】画像形成装置の画像形成部を示す図。
【図３】画像形成装置の制御システムのブロック図。
【図４】ＣＰＵにより実行される転写電圧補正動作を示す流れ図。
【図５】画質調整時間の表示例を示す図。
【図６】ＣＰＵにより実行される実施例１の画質調整時間の表示動作を示す流れ図。
【図７】ＣＰＵにより実行される実施例３の画質調整時間の表示動作を示す流れ図。
【発明を実施するための形態】
【００１０】
以下、添付図面を参照して、本発明を実施するための形態を説明する。
【実施例１】
【００１１】
（画像形成装置）
図１は、画像形成装置１００の断面図である。画像形成装置１００の上部には、画像読取部（スキャナ部）１０１及びユーザインターフェース（以下、ＵＩという。）３３０が設けられている。画像形成装置１００は、複数色のトナーを用いて記録媒体（以下、用紙という。）にカラー画像を形成する電子写真方式のカラー複写機である。
【００１２】
図２は、画像形成装置１００の画像形成部３２０を示す図である。画像形成部３２０は、４つのプロセスユニット１２０（１２０Ｙ、１２０Ｍ、１２０Ｃ、１２０Ｋ）を有する。プロセスユニット１２０Ｙは、イエロートナーを用いてイエロー画像を形成する。プロセスユニット１２０Ｍは、マゼンタトナーを用いてマゼンタ画像を形成する。プロセスユニット１２０Ｃは、シアントナーを用いてシアン画像を形成する。プロセスユニット１２０Ｋは、ブラックトナーを用いてブラック画像を形成する。４つのプロセスユニット１２０は、現像剤（トナー）の色を除いて同一の構造を有するので、特に必要な場合を除き、以下の説明では、参照符号から添字Ｙ、Ｍ、Ｃ、Ｋを省略する。
【００１３】
プロセスユニット１２０は、感光体としての感光ドラム（像担持体）１を有する。感光ドラム１の周りには、帯電装置２、光走査装置（レーザスキャナユニット）３、現像装置４、一次転写装置５、およびクリーニング装置６が配置されている。現像剤容器１２は、現像剤（トナー）を現像装置４へ補給する。感光ドラム１の下方には、無端状の中間転写ベルト（中間転写体）１３０が配置されている。
【００１４】
中間転写ベルト１３０は、駆動ローラ７、従動ローラ８および９に張架されている。中間転写ベルト１３０は、画像形成の際に矢印Ｒで示す方向に回転される。一次転写装置５は、中間転写ベルト１３０を介して感光ドラム１に対向して配置されている。一次転写装置５は、感光ドラム１上のトナー像を中間転写ベルト１３０へ転写させる。
【００１５】
中間転写ベルト１３０の近傍には、中間転写ベルト１３０上に転写された濃度補正用パッチ画像および色ずれ補正用パターン画像を検出するパッチセンサ（濃度検出装置、色ずれ検出装置）４０６が設けられている。パッチセンサ４０６は、各色の所定の色ずれ補正用パターン画像を検出する。検出結果に基づいて、中間転写ベルト１３０上に転写される各色のトナー像のずれ量が求められる。また、パッチセンサ４０６は、各色の所定の濃度補正用パッチ画像を検出する。検出結果に基づいて、中間転写ベルト１３０上に転写される各色のトナー像の濃度が求められる。
【００１６】
二次転写部（二次転写ローラ）１４０は、中間転写ベルト１３０を介して従動ローラ９に対向して配置されている。一次転写装置５Ｙ、５Ｍ、５Ｃ及び５Ｋには、それぞれ転写電圧センサ１１Ｙ、１１Ｍ、１１Ｃ及び１１Ｋが設けられている。転写電圧センサ１１Ｙ、１１Ｍ、１１Ｃ及び１１Ｋは、一次転写装置５Ｙ、５Ｍ、５Ｃ及び５Ｋへ印加される一次転写電圧を検出する。画像形成装置１００には、画像形成装置１００の内部の温度および湿度を検出するための環境センサ４０５が設けられている。
【００１７】
図３は、画像形成装置１００の制御システムのブロック図である。制御ユニット３００は、ＣＰＵ（制御部）３０１、ＲＯＭ３０２、ＲＡＭ３０３及びＥＥＰＲＯＭ（不揮発メモリ）３０４を有する。制御ユニット３００は、ユーザが各種の操作指示を入力する操作部としてのＵＩ３３０と電気的に接続されている。ＣＰＵ３０１は、ＵＩ３３０と通信可能である。ＵＩ３３０から、例えば、画像形成動作開始の指示（以下、ジョブという。）がＣＰＵ３０１へ入力されると、ＣＰＵ３０１は、画像形成動作を開始する。
【００１８】
ＣＰＵ３０１は、Ｉ／Ｏ（入出力装置）３０７を介して、搬送モータ１４５、定着モータ１７３、搬送モータ１４６、手差しモータ１４７、排出モータ１４８及び排出モータ１４９を制御する。また、ＣＰＵ３０１は、Ｉ／Ｏ３０７を介して、定着用紙センサ１７１、レジストレーション用紙センサ１６０、カセット用紙センサ１５２、排出用紙センサ１９５、排出用紙センサ１９７及び手差し用紙センサ２１４からの信号を検知する。
【００１９】
ＣＰＵ３０１は、ＵＩ３３０からのジョブの内容に対応した画像を処理する画像処理部３１６と通信が可能である。画像処理部３１６は、ＣＰＵ３０１と相互に通信を行って画像の展開、回転等の画像処理を実施する。ＣＰＵ３０１は、画像形成部３２０を制御する。画像形成部３２０は、プロセスユニット１２０、中間転写ベルト１３０及び二次転写部１４０への高電圧の供給を制御したり、これらの駆動を制御したり、光走査装置（露光装置）３を制御したりする。ＣＰＵ３０１は、画像形成部３２０を介して、一次転写装置５に設けられた転写電圧センサ１１Ｙ、１１Ｍ、１１Ｃ及び１１Ｋからの信号を検出し、検出信号に基づいて、一次転写装置５へ印加される転写電圧の印加状態を検出する。ＣＰＵ３０１は、環境センサ４０５からの信号に基づいて、プロセスユニット１２０付近の温度および湿度を検出する。ＣＰＵ３０１は、パッチセンサ４０６からの信号に基づいて、中間転写ベルト１３０の表面状態を検出する。画像形成部３２０は、定着器１７０のヒータの温度を制御する。画像読取部１０１は、コピーを実施する場合に、原稿の画像を読み取り、画像データを画像処理部３１６へ送信する。
【００２０】
操作部としてのＵＩ３３０は、ユーザが情報を入力する際に使用される入力キー群３３１、画像形成動作を開始するために押されるスタートキー３３２を有する。また、ＵＩ３３０は、画像形成動作を中断するために押されるストップキー３３３および画像形成装置１００の状態を表示する表示手段としてのディスプレイ（表示部）３３４を有する。
【００２１】
（画像形成動作）
次に、図１、図２及び図３を用いて、画像形成装置１００の画像形成動作を説明する。ＵＩ３３０からジョブを受け付けると、ＣＰＵ３０１は、受け付けたジョブに従って画像形成動作を開始する。ＣＰＵ３０１は、Ｉ／Ｏ３０７を介して、カセット・ピックアップローラ１５１の駆動源となる搬送モータ１４５を駆動してカセット・ピックアップローラ１５１を回転させ、給紙カセット１５０内の用紙を１枚ずつ給送する。このとき、ＣＰＵ３０１は、カセット用紙センサ１５２の検出信号に基づいて、用紙の給送動作が正常に行われたか否かを判断する。
【００２２】
用紙載置部としての手差しトレイ（マルチ・パーパス・トレイ）２１０から画像形成装置１００の内部への用紙の給送を説明する。手差しトレイ２１０には、手差し用紙センサ２１４が設けられている。手差し用紙センサ２１４は、手差しトレイ２１０上に載置された用紙を検出する。ＣＰＵ３０１は、手差し用紙センサ２１４の検出信号に基づいて、手差しトレイ２１０上に用紙が載置されているか否かを判断する。ＣＰＵ３０１は、手差しトレイ２１０に用紙が載置されている状態で、ＵＩ３３０から手差しトレイ２１０上の用紙を給送する指示を受けると、次のように動作する。ＣＰＵ３０１は、Ｉ／Ｏ３０７を介して手差しモータ１４７を駆動して手差しピックアップローラ２１１を回転させる。手差しピックアップローラ２１１が回転することにより、手差しトレイ２１０上の用紙が一枚ずつ給送される。ＣＰＵ３０１は、レジストレーション用紙センサ１６０の検出信号に基づいて、用紙の給送動作が正常に行われたか否かを判断する。
【００２３】
ＣＰＵ３０１は、二次転写部１４０に用紙が到着するタイミングに間に合うように、プロセスユニット１２０での画像形成動作を開始する。プロセスユニット１２０Ｙにおいて、帯電装置２Ｙは、感光ドラム１Ｙの表面を均一に帯電する。光走査装置３Ｙは、イエロー成分の画像情報に従って変調された光ビーム（レーザー光）を、均一に帯電された感光ドラム１Ｙの表面へ出射し、感光ドラム１Ｙの表面上に静電潜像を形成する。現像装置４Ｙは、イエロートナー（現像剤）により静電潜像を現像してイエロートナー像にする。一次転写装置５Ｙは、一次転写電圧が印加されて、感光ドラム１Ｙ上のイエロートナー像を中間転写ベルト１３０上へ一次転写する。一次転写の後に感光ドラム１Ｙ上に残ったトナーは、クリーニング装置６Ｙによって除去され、感光ドラム１Ｙは、次の画像形成に備える。
【００２４】
同様にして、プロセスユニット１２０Ｍにより形成されたマゼンタトナー像は、中間転写ベルト１３０上のイエロートナー像の上に精度よく重ねて転写される。以下、シアントナー像およびブラックトナー像が、中間転写ベルト１３０上のマゼンタトナー像の上に順次重ねて転写される。その結果、中間転写ベルト１３０上に４色のトナー像が重ね合わされる。中間転写ベルト１３０上で重ね合わされたトナー像は、中間転写ベルト１３０の回転により、二次転写部１４０へ至る。
【００２５】
ＣＰＵ３０１は、一次転写動作を一度行う度に、ＥＥＰＲＯＭ３０４に格納されている一次転写動作カウンタ３１０に１を加算する。ＣＰＵ３０１は、現像動作を一度行う度に、ＥＥＰＲＯＭ３０４に格納されている第一の画像形成カウンタ３１１及び第二の画像形成カウンタ３１２にそれぞれ１を加算する。一次転写動作カウンタ３１０の値（カウント値）、第一の画像形成カウンタ３１１の値（カウント値）及び第二の画像形成カウンタ３１２の値（カウント値）は、後述する画質調整動作の実行判断に用いられる。
【００２６】
用紙は、給紙カセット１５０からカセット・ピックアップローラ１５１、搬送ローラ１５３、１５４及び１５５により、又は、手差しトレイ２１０から手差しピックアップローラ２１１により、レジストレーションローラ１６１へ搬送される。ＣＰＵ３０１は、レジストレーション用紙センサ１６０の検知信号に基づいて、搬送された用紙の位置を検出する。ＣＰＵ３０１は、用紙の先端部がレジストレーション用紙センサ１６０に到達したタイミングを考慮して、用紙の先端部と中間転写ベルト１３０上のトナー像の先端部とが二次転写部１４０で一致するように、用紙の搬送を制御する。例えば、トナー像に対して用紙が早く到着した場合、ＣＰＵ３０１は、レジストレーションローラ１６１で用紙をその分だけ長い時間停止させた後に、再度、用紙の搬送を再開させる。用紙とトナー像が二次転写部１４０へ到達すると、二次転写電圧が印加された二次転写部１４０により、トナー像が用紙へ転写される。
【００２７】
トナー像が転写された用紙は、搬送ベルト１９０により定着器１７０へ搬送される。定着器１７０は、用紙を加熱および加圧してトナー像を用紙に定着する。このようにして、用紙にフルカラー画像が形成される。
【００２８】
用紙の先端部が定着用紙センサ１７１へ到達すると、ＣＰＵ３０１は、ＵＩ３３０により予め指定されているジョブ内容に従って、用紙を搬送路２３０、２３１又は２３４のどちらへ搬送するのかを判断する。ＣＰＵ３０１は、搬送フラッパ１７２及び１８２を切り替えることにより、用紙の搬送路２３０、２３１及び２３４を切り替える。具体的には、両面印刷において用紙を再び画像形成部３２０へ搬送する場合および片面印刷において用紙を排出トレイ２００へ印字面を下向きにして排出する場合、搬送フラッパ１７２を切り替えて用紙を搬送路２３０へ搬送する。片面印刷または両面印刷において排出トレイ１９６又は排出トレイ１９９へ用紙を排出する場合、搬送フラッパ１８２を切り替えて用紙を搬送路２３１へ搬送する。排出トレイ２００へ用紙を排出する場合、搬送フラッパ１７２及び１８２を切り替えて用紙を搬送路２３４へ搬送する。
【００２９】
搬送路２３１へ搬送された用紙は、搬送ローラ２３２により、さらに下流の搬送路１８１へ搬送され、排出トレイ１９６又は排出トレイ１９９の方へ搬送される。排出トレイ１９６への排出命令の場合、搬送路は、フラッパ１８３により搬送路１９３へ切り替えられる。用紙は、排出モータ１４８により駆動される排出ローラ２４１、２４２及び２４３により搬送路１８１から搬送路１９３へ搬送され、排出トレイ１９６へ排出される。排出トレイ１９９への排出命令の場合、搬送路は、フラッパ１８３により搬送路１８４へ切り替えられる。用紙は、排出モータ１４９により駆動される排出ローラ２４４、２４５及び２４６により搬送路１８１から搬送路１８４を通して搬送路１９８へ搬送され、排出トレイ１９９へ排出される。
【００３０】
片面印刷において用紙を排出トレイ２００へ印字面を下向きに排出する場合、搬送フラッパ１７２を切り替えて用紙を搬送路２３０へ搬送する。用紙の後端部が反転ローラ１６３へ至ると、反転ローラ１６３を逆転させ、用紙を排出ローラ１８０の方へ搬送し、そのまま排出トレイ２００へ排出する。
【００３１】
両面印刷において片面に画像が形成された用紙を再び画像形成部３２０へ搬送する場合、搬送フラッパ１７２を切り替えて用紙を搬送路２３０へ搬送する。用紙は、両面搬送ローラ１６４、１６５、１６６、１７９及び１６８により両面反転搬送路２３３へ搬送される。用紙の後端部が両面搬送ローラ１７９へ至ると、両面反転フラッパ１７８を切替え、両面搬送ローラ１７９及び１６８を逆回転させ、用紙を両面搬送ローラ１６９の方へ搬送する。用紙は、両面搬送ローラ１６９、１７５、１７６及び１７７により搬送され、搬送ローラ１５５へ受け渡される。
【００３２】
ジョブが全て終了すると、ＣＰＵ３０１は、ＵＩ３３０にジョブの終了を表示する。なお、上記の画像形成動作は、一例であり、本発明は、上記の画像形成動作に限定されるものではない。
【００３３】
(画質調整動作)
次に、表１を用いて、ＣＰＵ３０１により実行される画質調整動作を説明する。表１は、画質調整種類を示す表である。
【表１】
2017116720.tif 000003
【００３４】
表１には、ＣＰＵ３０１により実行される画質調整の種類、実行条件、所要時間およびリトライ動作の有無が示されている。表１に示される所要時間は、１回の画質調整動作の開始から終了までの時間である。画質調整動作が成功しなかった場合、その画質調整をリトライ（再調整）することをリトライ動作（再調整動作）という。リトライ動作を実行する場合、所要時間は、リトライ動作の実行回数分だけ増える。本実施例において、転写電圧補正は、リトライ動作が実行される可能性を有する画質調整（第一の画質調整）である。濃度補正および色ずれ補正は、リトライ動作が実行される可能性が無い画質調整（第二の画質調整）である。
【００３５】
ＣＰＵ３０１は、画像形成部３２０により用紙に形成される画像の画質を調整する画質調整部として機能する。ＣＰＵ３０１は、画像形成動作中に、各画質調整の実行条件を確認する。実行条件が満たされた場合、ＣＰＵ３０１は、画像形成動作を中断して、実行条件が満たされた画質調整動作を実行する。画質調整動作の終了後、ＣＰＵ３０１は、画像形成動作を再開する。また、実行条件が満たされた画質調整が複数ある場合、ＣＰＵ３０１は、それらの画質調整動作を、連結して番号の若いものから実行する。本実施例においては、連続して複数の画質調整動作を実行する場合、リトライ動作が実行される可能性が有る画質調整動作を、リトライ動作が実行される可能性が無い画質調整動作より前に実行する。また、本実施例においては、所要時間の短い画質調整動作を、所要時間の長い画質調整動作の前に実行する。しかし、連続して複数の画質調整動作を実行する場合の画質調整動作の順番は、これに限定されるものではなく、その他の順番であってもよい。また、ＣＰＵ３０１は、ＵＩ３３０からの指示に従って、各画質調整を単独または連結で実行することも可能である。いずれの場合も、ＣＰＵ３０１は、各画質調整が終了した際に、一次転写動作カウンタ３１０の値、第一の画像形成カウンタ３１１の値および第二の画像形成カウンタ３１２の値を０に初期化する。
【００３６】
転写電圧補正は、良好な転写性を得るための転写電圧を、一次転写装置５の電圧電流特性から算出する動作である。転写電圧補正は、一度の動作で適切な転写電圧を得られない場合、リトライ動作を実行することがある。そのため、転写電圧補正の所要時間（第一の所要時間）は、１回では５秒だがリトライ動作を実行することにより増えることがある。転写電圧補正の動作は、後述する。
【００３７】
濃度補正は、トナー濃度を適切に保つために、プロセスユニット１２０の現像装置４内のトナー濃度や、画像処理部３１６のパラメータを調整する動作である。トナー濃度は、現像装置４内のトナー・キャリア混合比（重量比）又は中間転写ベルト１３０の上に形成されるトナー画像のトナー載り量（単位面積当たりのトナー量）である。濃度補正動作において、中間転写ベルト１３０の上に濃度補正用パッチ画像が形成される。パッチセンサ４０６は、濃度補正用パッチ画像の濃度を検出する。ＣＰＵ３０１は、濃度補正用パッチ画像の濃度の検出結果に基づいて、現像剤容器１２から現像装置４へ補給するトナー量を決定したり、画像処理部３１６のパラメータを調整したりする。濃度補正は、リトライ動作を実行することはなく、所要時間（第二の所要時間）１０秒で動作が完了する。
【００３８】
色ずれ補正は、用紙に形成されるカラー画像の色ずれ量を低減するために、画像処理部３１６のパラメータを調整する動作である。色ずれ補正動作において、中間転写ベルト１３０の上に色ずれ補正用パターン画像が形成される。パッチセンサ４０６は、色ずれ補正用パターン画像のずれ量を検出する。ＣＰＵ３０１は、色ずれ補正用パターン画像のずれ量の検出結果に基づいて、画像処理部３１６のパラメータを調整する。色ずれ補正は、リトライ動作を実行することはなく、所要時間（第二の所要時間）２０秒で動作が完了する。
【００３９】
なお、上記の画質調整種類は、画像形成装置１００で実行される画質調整の一例であり、本発明はそれらに限定されるものではない。転写電圧補正、濃度補正および色ずれ補正のそれぞれの所要時間は、上記数値に限定されるものではなく、画像形成装置１００の構造に応じた値に設定されるものである。
【００４０】
（転写電圧補正）
次に、図４を用いて、ＣＰＵ３０１により実行される画質調整動作の１つである転写電圧補正を説明する。図４は、ＣＰＵ３０１により実行される転写電圧補正動作を示す流れ図である。ＣＰＵ３０１は、ＲＯＭ３０２に格納されているプログラムに従って転写電圧補正動作を実行する。
【００４１】
ＣＰＵ３０１は、一次転写動作毎に、一次転写動作カウンタ３１０の値と所定のしきい値とを比較する。一次転写動作カウンタ３１０の値が所定のしきい値を超えている場合、図４に示す転写電圧補正動作を実行する。転写電圧補正動作が開始されると、ＣＰＵ３０１は、リトライ回数を０にクリアする（Ｓ１）。ＣＰＵ３０１は、環境センサ４０５の検出信号に基づいて現在の温度を取得する（Ｓ２）。ＣＰＵ３０１は、取得した温度に応じて、良好な転写性を得るための目標転写電流をＲＯＭ３０２から取得する（Ｓ３）。また、ＣＰＵ３０１は、電圧電流特性を求めるための第一のテスト転写電圧と第二のテスト転写電圧をＲＯＭ３０２から取得する（Ｓ３）。第一のテスト転写電圧は、第二のテスト転写電圧より小さい（第一のテスト転写電圧＜第二のテスト転写電圧）。
【００４２】
次に、第一のテスト転写電圧を一次転写装置５へ印加する（Ｓ４）。ＣＰＵ３０１は、一次転写装置５Ｙ、５Ｍ、５Ｃ及び５Ｋの転写電圧センサ１１Ｙ、１１Ｍ、１１Ｃ及び１１Ｋによる転写電流の検出を開始する（Ｓ５）。ＣＰＵ３０１は、転写電圧センサ１１Ｙ〜１１Ｋの検出信号に基づいて、感光ドラム１の一周分の転写電流の値を予め定められた間隔でサンプリングする（Ｓ６）。ＣＰＵ３０１は、サンプリングした値を平均化し、平均化した値を第一のテスト転写電流としてＲＡＭ３０３に記録する（Ｓ７）。
【００４３】
次に、第二のテスト転写電圧を一次転写装置５へ印加する（Ｓ８）。第一のテスト転写電圧と同様に、ＣＰＵ３０１は、転写電圧センサ１１による転写電流の検出を開始し（Ｓ９）、感光ドラム１の一周分の転写電流の値をサンプリングする（Ｓ１０）。ＣＰＵ３０１は、サンプリングした値を平均化し、平均化した値を第二のテスト転写電流としてＲＡＭ３０３に記録する（Ｓ１１）。
【００４４】
次に、ＣＰＵ３０１は、第一のテスト転写電流と第二のテスト転写電流が目標転写電流を間に挟んでいるか否かをチェックする。具体的には、ＣＰＵ３０１は、第一のテスト転写電流が目標転写電流より小さく、且つ、第二のテスト転写電流が目標転写電流より大きいか否かを判断する（Ｓ１２）。第一のテスト転写電流と第二のテスト転写電流が目標転写電流を間に挟んでいる場合（Ｓ１２でＹＥＳ）、ＣＰＵ３０１は、２点の電圧電流特性から線形補間を行い、目標転写電流を得られる作像転写電圧を算出する（Ｓ１３）。ＣＰＵ３０１は、一次転写動作カウンタ３１０の値を０にクリアし（Ｓ１４）、転写電圧補正動作を終了する。
【００４５】
一方、第一のテスト転写電流と第二のテスト転写電流が目標転写電流を挟んでいない場合、作像転写電圧の算出に対して適切な電圧電流特性を得られていないので、第一および第二のテスト転写電圧が不適切だったと判断される。そこで、第一および第二のテスト転写電圧を変更してリトライ動作を行う。ＣＰＵ３０１は、第一のテスト転写電流と第二のテスト転写電流が目標転写電流を挟んでいない場合（Ｓ１２でＮＯ）、リトライ回数が３回（所定の回数）以上であるか否かを判断する（Ｓ１５）。リトライ回数が３回以上でない場合（Ｓ１５でＮＯ）、ＣＰＵ３０１は、リトライ回数を１増加させる（Ｓ１６）。
【００４６】
ＣＰＵ３０１は、次の式に示すように、第一のテスト転写電圧に第一の係数を乗じて第一のテスト転写電圧を再設定する（Ｓ１７）。
第一のテスト転写電圧＝第一のテスト転写電圧×０．７
また、ＣＰＵ３０１は、次の式に示すように、第二のテスト転写電圧に第二の係数を乗じて第二のテスト転写電圧を再設定する（Ｓ１８）。
第二のテスト転写電圧＝第二のテスト転写電圧×１．３
【００４７】
その後、処理は、Ｓ４へ戻り、再度、第一および第二のテスト転写電圧の印加と第一および第二のテスト転写電流の検出を行い、得られた２つのテスト転写電流が目標転写電流を間に挟んでいるか否かを判断する（Ｓ４〜Ｓ１２）。
【００４８】
ここで、リトライ動作を３回行っても２つのテスト転写電流が目標転写電流を間に挟んでいない場合（Ｓ１５でＹＥＳ）、最後の結果から外挿して作像転写電圧を算出する（Ｓ１３）。以上のように、転写電圧補正は、リトライ動作を実行した回数に従って所要時間が変わる。なお、上記の転写電圧補正動作は、一例であり、本発明は、上記転写電圧補正動作に限定されるものではない。
【００４９】
（画質調整時間の初期設定）
図５は、画質調整時間の表示例を示す図である。本実施例によれば、画質調整動作における所要時間は、図５に示すようにディスプレイ３３４の下部に表示される。所要時間は、調整中の表示の後ろの括弧内に残り秒数としてカウントダウン表示される。本実施例においては、画質調整の種類に従って、カウントダウンの頻度（表示間隔）すなわち表示を切り替える表示分解能（単位時間）を変更する。
【００５０】
まず、表１及び図６を用いて、画質調整時間の表示に必要な初期設定を説明する。図６は、ＣＰＵ３０１により実行される実施例１の画質調整時間の表示動作を示す流れ図である。図６（ａ）は、画質調整時間の表示に必要な初期設定動作を示す流れ図である。ＣＰＵ３０１は、ＲＯＭ３０２に格納されているプログラムに従って初期設定動作を実行する。ＣＰＵ３０１は、画質調整の所要時間を予測する画質調整時間予測部として機能する。ＣＰＵ３０１は、調整時間を表示する前に、単独で実行される画質調整の調整時間または連結して実行される全ての画質調整の調整時間の合計を算出するために図６（ａ）に示す初期設定動作を実行する。
【００５１】
初期設定動作が開始されると、ＣＰＵ３０１は、残調整時間Ｔを０に初期化する（Ｓ２１）。ＣＰＵ３０１は、転写電圧補正を実行するか否かを判断する（Ｓ２２）。具体的には、一次転写動作カウンタ３１０の値が２５０以上である場合、ＣＰＵ３０１は、転写電圧補正動作を実行する（表１）。転写電圧補正を実行する場合（Ｓ２２でＹＥＳ）、ＣＰＵ３０１は、残調整時間Ｔに５を加える（Ｓ２３）。転写電圧補正を実行しない場合（Ｓ２２でＮＯ）、処理は、Ｓ２４へ進む。次に、ＣＰＵ３０１は、濃度補正を実行するか否かを判断する（Ｓ２４）。具体的には、第一の画像形成カウンタ３１１の値が３００以上である場合、ＣＰＵ３０１は、濃度補正を実行する。濃度補正を実行する場合（Ｓ２４でＹＥＳ）、ＣＰＵ３０１は、残調整時間Ｔに１０を加える（Ｓ２５）。濃度補正を実行しない場合（Ｓ２４でＮＯ）、処理は、Ｓ２６へ進む。次に、ＣＰＵ３０１は、色ずれ補正を実行するか否かを判断する（Ｓ２６）。具体的には、第二の画像形成カウンタ３１２の値が３５０以上である場合、ＣＰＵ３０１は、色ずれ補正を実行する。色ずれ補正を実行する場合（Ｓ２６でＹＥＳ）、ＣＰＵ３０１は、残調整時間Ｔに２０を加え（Ｓ２７）、初期設定動作を終了する。色ずれ補正を実行しない場合（Ｓ２６でＮＯ）、ＣＰＵ３０１は、初期設定動作を終了する。このようにして、単独で実行される画質調整の所要時間または連続して実行される複数の画質調整の所要時間の合計値を残調整時間Ｔの初期設定値とする。
【００５２】
（画質調整時間の表示）
次に、表１及び図６（ｂ）を用いて、画質調整時間の表示を説明する。図６（ｂ）は、画質調整時間の表示動作を示す流れ図である。ＣＰＵ３０１は、ＲＯＭ３０２に格納されているプログラムに従って画質調整時間の表示動作を実行する。ＣＰＵ３０１は、表１に示される画質調整の実行条件のいずれかが満たされた場合、調整時間表示動作を開始する。
【００５３】
調整時間表示動作が開始されると、ＣＰＵ３０１は、実行される全ての画質調整の所要時間の合計を算出するために初期設定を実行する（Ｓ３１）。初期設定は、前述した図６（ａ）に示すサブルーチンに従って実行される。初期設定が終了すると、ＣＰＵ３０１は、現時点で実行中の画質調整動作が転写電圧補正であるか否かを判断する（Ｓ３２）。転写電圧補正が実行中である場合（Ｓ３２でＹＥＳ）、処理は、Ｓ３３へ進む。ＣＰＵ３０１は、残調整時間Ｔの表示を切り替える単位時間Ｕを１０秒に設定する（Ｓ３３）。Ｓ３３では、ＵＩ３３０のディスプレイ３３４に表示する残調整時間Ｔの表示分解能を決定している。本実施例において、転写電圧補正の残調整時間Ｔは、転写電圧補正の所要時間である５秒より大きい１０秒単位（第一の表示分解能）で表示される。
【００５４】
次に、残調整時間Ｔを１０秒単位で表示するために、ＣＰＵ３０１は、残調整時間Ｔを次の式により切り上げ演算してディスプレイ３３４に表示すべき表示所要時間Ｄを求める(Ｓ３４)。
Ｄ＝（（Ｔ−１）／１０＋１）×１０
ここで、（Ｔ−１）／１０の値の小数点以下は切り捨てられる。例えば、残調整時間Ｔが５秒である場合、（Ｔ−１）／１０は０となるので、表示所要時間Ｄは１０秒となる。残調整時間Ｔが１５秒である場合、（Ｔ−１）／１０は１となるので、表示所要時間Ｄは２０秒となる。残調整時間Ｔが３５秒である場合、（Ｔ−１）／１０は３となるので、表示所要時間Ｄは４０秒となる。ＣＰＵ３０１は、表示所要時間Ｄをディスプレイ３３４に表示する（Ｓ３７）。
【００５５】
一方、転写電圧補正が実行中でない場合（Ｓ３２でＮＯ）、処理は、Ｓ３５へ進む。ＣＰＵ３０１は、残調整時間Ｔの表示を切り替える単位時間Ｕを１秒に設定する（Ｓ３５）。Ｓ３５では、転写電圧補正を実行しない、つまりリトライ動作のない画質調整なので、表示分解能は、リトライ動作のある画質調整の場合より細かくしている。本実施例においては、残調整時間Ｔは、1秒単位（第二の表示分解能）で表示される。残調整時間Ｔを１秒単位で表示するので、残調整時間Ｔがそのままディスプレイ３３４に表示すべき表示所要時間Ｄとなる（Ｓ３６）。ＣＰＵ３０１は、表示所要時間Ｄをディスプレイ３３４に表示する（Ｓ３７）。
【００５６】
ＣＰＵ３０１は、最小分解能である１秒を待つ（Ｓ３８）。その後、ＣＰＵ３０１は、現時点での残調整時間Ｔを求める（Ｓ３９）。ＣＰＵ３０１は、Ｓ３９で求めた残調整時間Ｔが０か否かを判断する（Ｓ４０）。残調整時間Ｔが０である場合（Ｓ４０でＹＥＳ）、ＣＰＵ３０１は、調整時間表示動作を終了する。残調整時間Ｔが０でない場合（Ｓ４０でＮＯ）、処理は、Ｓ３２へ戻り、調整時間表示動作を繰り返す。
【００５７】
（画質調整時間の遷移）
表１及び図６の画質調整時間の表示動作に従う所要時間の表示例を表２、表３及び表４に示す。表２は、転写電圧補正が実行される場合の所要時間の表示例を示す。
【表２】
2017116720.tif 000004
【００５８】
転写電圧補正は、リトライ動作が実行される可能性を有する画質調整動作であるが、表２は、リトライ動作が実行されない場合の表示例を示している。残調整時間Ｔは、表１に従って転写電圧補正の５秒に初期設定される。転写電圧補正は、リトライ動作が実行される可能性を有する画質調整動作なので、単位時間Ｕは、図６（ｂ）のＳ３３に従って１０秒に設定される。１０秒単位で所要時間を表示するので、表２に示すように、残調整時間Ｔが５〜１秒のとき、ディスプレイ３３４に１０秒が表示される。転写電圧補正動作が実行され正しい結果が得られれば、リトライ動作を実行しないので、残調整時間Ｔ及び表示所要時間Ｄがともに０秒となり、ＣＰＵ３０１は、調整時間表示動作を終了する。
【００５９】
表３は、転写電圧補正においてリトライ動作が一回だけ実行された場合の所要時間の表示例を示す。
【表３】
2017116720.tif 000005
【００６０】
リトライ動作が実行されたとしても、表示所要時間が１０秒であるので、従来のように表示所要時間が０秒になっても画像形成が再開されないという煩わしい印象をユーザに与えることがない。また、従来のように表示所要時間が１秒から５秒へ増えるという煩わしい印象をユーザに与えることがない。このように、リトライ動作が実行されたとしても、表示所要時間Ｄと画像形成が再開されるまでの時間差が少ないので、ユーザが出力物の回収タイミングを誤ってしまうということを少なくすることができる。
【００６１】
表４は、リトライ動作無しの濃度補正が実行される場合の表示例を示す。
【表４】
2017116720.tif 000006
【００６２】
濃度補正は、リトライ動作が実行される可能性が無い画質調整動作である。残調整時間Ｔは、表１に従って濃度補正の１０秒に初期設定される。単位時間Ｕは、図６（ｂ）のＳ３５に従って１秒に設定される。単位時間Ｕは、表示分解能の１秒と同じ値に設定されているので、１秒ごとに表示が変わる。表示所要時間Ｄは、表２に示すように、残調整時間Ｔと同様に１０秒から１秒ごとにカウントダウンされる。残調整時間Ｔ及び表示所要時間Ｄがともに０秒となり、ＣＰＵ３０１は、調整時間表示動作を終了する。表示所要時間Ｄは、残調整時間Ｔと同じであるので、ユーザは、出力物を回収できるタイミングを把握しやすい。
【００６３】
色ずれ補正は、リトライ動作が実行される可能性が無い画質調整動作であるので、調整時間表示動作は、残調整時間Ｔの初期設定値が２０秒である点を除いて濃度補正と同様である。従って、色ずれ補正の調整時間表示動作の説明は、省略する。
【００６４】
表５は、転写電圧補正と濃度補正が連続して実行される場合の表示例を示す。
【表５】
2017116720.tif 000007
【００６５】
残調整時間Ｔは、表１に従って転写電圧補正の５秒に濃度補正の１０秒を加えて１５秒に初期設定される（図６（ａ））。転写電圧補正は、リトライ動作が実行される可能性を有する画質調整動作なので、単位時間Ｕは、図６（ｂ）のＳ３３で１０秒に設定される。１０秒単位で所要時間を表示するので、表５に示すように、残調整時間Ｔが１５〜１１秒のとき、ディスプレイ３３４に２０秒が表示される。最初の転写電圧補正動作が成功し、濃度補正動作の実行が開始される。ＣＰＵ３０１は、図６（ｂ）のＳ３９で残調整時間Ｔを再予測する。ＣＰＵ３０１は、図６（ｂ）のＳ３５で単位時間Ｕを１秒に設定する。ＣＰＵ３０１は、再予測した残調整時間Ｔに基づいて表示所要時間Ｄを更新する。表示所要時間Ｄは、表５に示すように、残調整時間Ｔと同様に１０秒から１秒ごとにカウントダウンされる。濃度補正動作が終了すると残調整時間Ｔ及び表示所要時間Ｄがともに０秒となり、ＣＰＵ３０１は、調整時間表示動作を終了する。
【００６６】
表５に示すように転写電圧補正と濃度補正を連続して実行する場合、ＣＰＵ３０１は、一つ一つの画質調整動作を判断して表示分解能（単位時間Ｕ）を切り替えて、表示所要時間Ｄを表示する。これによって、ユーザが画像形成の再開タイミングを適切に判断できるように表示所要時間Ｄをディスプレイ３３４に表示することができる。
【００６７】
本実施例によれば、リトライ動作が実行される可能性を有する転写電圧補正の残調整時間の表示分解能を、リトライ動作が実行される可能性がない濃度補正または色ずれ補正の残調整時間の表示分解能よりも粗くしている。表示所要時間Ｄのカウントダウン間隔が少なくなるので、ユーザは、画質調整完了までの残り時間を大まかに推測することができる。従って、もしリトライ動作が実行されたとしても表示されている表示所要時間Ｄと画像形成が再開されるまでの時間差は少ないので、ユーザは出力物の回収タイミングを誤ってしまうことを少なくすることができる。よって、転写電圧補正においてリトライ動作が実行される場合であっても、ユーザが出力物を回収するタイミングを誤る可能性を低減することができる表示所要時間Ｄをディスプレイ３３４に表示することができる。
【実施例２】
【００６８】
次に、実施例２を説明する。実施例２において、実施例１と同様の構造には同様の参照符号を付して説明を省略する。実施例２の画像形成装置１００、画像形成動作および画質調整動作は、実施例１と同様であるので説明を省略する。実施例２は、画質調整時間の初期設定における残調整時間Ｔの初期設定値が実施例１と異なるので、以下、主に異なる点を説明する。
【００６９】
（画質調整時間の初期設定）
実施例１では、リトライ動作が実行される可能性が有る画質調整としての転写電圧補正の場合、残調整時間Ｔに、１回の転写電圧補正動作の所要時間である５秒を設定する。これに対して、実施例２では、最大回数分のリトライ動作を実行するために必要な時間を転写電圧補正動作の所要時間とする。具体的には、転写電圧補正の最大リトライ回数は３回であるので、最初の１回を含め合計４回転写電圧補正動作が実行される可能性が有る。従って、表１の転写電圧補正の所要時間を２０秒（＝５秒×４回）とする。図６（ａ）に示す初期設定動作のＳ２３において、ＣＰＵ３０１は、残調整時間Ｔに２０を加える。
【００７０】
（画質調整時間の表示）
画質調整時間の表示動作は、初期設定動作で残調整時間Ｔに設定される初期設定値が異なる点を除いて、実施例１の図６（ｂ）に示す動作と同様であるので、説明を省略する。
【００７１】
（画質調整時間の遷移）
実施例２による所要時間の表示例を表６、表７、表８及び表９に示す。表６は、転写電圧補正が実行される場合の所要時間の表示例を示す。
【表６】
2017116720.tif 000008
【００７２】
表６は、リトライ動作が実行されない場合の表示例を示している。残調整時間Ｔは、図６（ａ）のＳ２３で２０秒に初期設定される。単位時間Ｕは、図６（ｂ）のＳ３２で転写電圧補正が実行中であるのでＳ３３で１０秒に設定される。１０秒単位で所要時間を表示するので、表６に示すように、転写電圧補正動作中の残調整時間Ｔが２０〜１６秒のとき、ディスプレイ３３４に２０秒が表示される。最初の転写電圧補正動作が成功し、リトライ動作を実行しないので、残調整時間Ｔは１６秒から０秒になる（Ｓ３９）。表示所要時間Ｄは２０秒から０秒へ切り換えられ、ＣＰＵ３０１は、調整時間表示動作を終了する。
【００７３】
表７は、転写電圧補正においてリトライ動作が一回だけ実行された場合の所要時間の表示例を示す。
【表７】
2017116720.tif 000009
【００７４】
１０秒単位で所要時間を表示するので、表７に示すように、最初の転写電圧補正動作中の残調整時間Ｔが２０〜１６秒のとき、ディスプレイ３３４に２０秒が表示される。最初の転写電圧補正動作が失敗し、リトライ動作を一回実行する。リトライ動作中の残調整時間Ｔが１５〜１１秒のとき、ディスプレイ３３４に２０秒が表示される。一回目のリトライ動作が成功し、残調整時間Ｔは１１秒から０秒になる（Ｓ３９）。表示所要時間Ｄは２０秒から０秒へ切り換えられ、ＣＰＵ３０１は、調整時間表示動作を終了する。
【００７５】
表８は、転写電圧補正においてリトライ動作が２回実行された場合の所要時間の表示例を示す。
【表８】
2017116720.tif 000010
【００７６】
表８に示すように、最初の転写電圧補正動作中の残調整時間Ｔが２０〜１６秒のとき、ディスプレイ３３４に２０秒が表示される。最初の転写電圧補正動作が失敗し、一回目のリトライ動作を実行する。一回目のリトライ動作中の残調整時間Ｔが１５〜１１秒のとき、ディスプレイ３３４に２０秒が表示される。一回目のリトライ動作が失敗し、二回目のリトライ動作が実行される。二回目のリトライ動作中の残調整時間Ｔが１０〜６秒のとき、１０秒単位で所要時間を表示するのでディスプレイ３３４に１０秒が表示される。二回目のリトライ動作が成功し、残調整時間Ｔは６秒から０秒になる（Ｓ３９）。表示所要時間Ｄは１０秒から０秒へ切り換えられ、ＣＰＵ３０１は、調整時間表示動作を終了する。
【００７７】
表９は、転写電圧補正においてリトライ動作が３回実行された場合の所要時間の表示例を示す。
【表９】
2017116720.tif 000011
【００７８】
表９に示すように、最初の転写電圧補正動作中の残調整時間Ｔが２０〜１６秒のとき、ディスプレイ３３４に２０秒が表示される。最初の転写電圧補正動作が失敗し、一回目のリトライ動作を実行する。一回目のリトライ動作中の残調整時間Ｔが１５〜１１秒のとき、ディスプレイ３３４に２０秒が表示される。一回目のリトライ動作が失敗し、二回目のリトライ動作が実行される。二回目のリトライ動作中の残調整時間Ｔが１０〜６秒のとき、１０秒単位で所要時間を表示するのでディスプレイ３３４に１０秒が表示される。二回目のリトライ動作が失敗し、三回目のリトライ動作が実行される。三回目のリトライ動作中の残調整時間Ｔが５〜１秒のとき、ディスプレイ３３４に１０秒が表示される。三回目のリトライ動作が成功し、残調整時間Ｔは０秒になる（Ｓ３９）。表示所要時間Ｄは１０秒から０秒へ切り換えられ、ＣＰＵ３０１は、調整時間表示動作を終了する。
【００７９】
本実施例によれば、リトライ動作が実行される可能性が有る画質調整としての転写電圧補正の場合、最大回数分のリトライ動作を実行するために必要な時間を表示所要時間Ｄとして表示する。従って、転写電圧補正においてリトライ動作が実行される場合であっても、ユーザが出力物を回収するタイミングを誤る可能性を低減することができる表示所要時間Ｄをディスプレイ３３４に表示することができる。
【実施例３】
【００８０】
次に、実施例３を説明する。実施例３において、実施例１又は実施例２と同様の構造には同様の参照符号を付して説明を省略する。実施例３の画像形成装置１００、画像形成動作および画質調整動作は、実施例１と同様であるので説明を省略する。実施例１および実施例２では、複数の画質調整動作を連続して実行する場合、リトライ動作が実行される可能性を有する画質調整動作とリトライ動作が実行される可能性が無い画質調整動作とで表示分解能（単位時間Ｕ）を切り替えている。これにより、ユーザが画像形成の再開タイミングを適切に判断できるように表示所要時間Ｄをディスプレイ３３４に表示する。これに対して、実施例３では、連続して実行される複数の画質調整動作のなかに、リトライ動作が実行される可能性を有する画質調整動作が一つでも含まれている場合、一つの粗い表示分解能（単位時間Ｕ）に統一する。その一連の画質調整動作における表示所要時間Ｄは、一つの粗い表示分解能でディスプレイ３３４に表示される。以下、実施例１および実施例２と異なる点を主に説明する。
【００８１】
（画質調整時間の初期設定）
まず、図７を用いて、画質調整時間の表示に必要な初期設定を説明する。図７は、ＣＰＵ３０１により実行される実施例３の画質調整時間の表示動作を示す流れ図である。図７の流れ図において、図６の流れ図と同様のステップには同様のステップ番号を付して説明を省略する。図７（ａ）は、画質調整時間の表示に必要な初期設定動作を示す流れ図である。ＣＰＵ３０１は、ＲＯＭ３０２に格納されているプログラムに従って初期設定動作を実行する。ＣＰＵ３０１は、調整時間を表示する前に、表示分解能としての単位時間Ｕを決定するとともに、連結して実行される全ての画質調整の調整時間の合計（残調整時間Ｔの初期設定値）を算出するために図７（ａ）に示す初期設定動作を実行する。
【００８２】
実施例３では、ＣＰＵ３０１は、転写電圧補正を実行するか否かを判断した（Ｓ２２）後に、表示分解能としての単位時間Ｕを決定する（Ｓ５１、Ｓ５２）。転写電圧補正を実行するか否かの判断（Ｓ２２）に基づいて、連続して実行される複数の画質調整動作の中に１つでもリトライ動作が実行される可能性を有する画質調整動作が含まれているか否かが判断される。転写電圧補正を実行する場合（Ｓ２２でＹＥＳ）、連続して実行される複数の画質調整動作の中に１つでもリトライ動作が実行される可能性を有する画質調整動作が含まれていると判断される。従って、転写電圧補正を実行する場合（Ｓ２２でＹＥＳ）、単位時間Ｕに粗い表示分解能としての１０秒を設定する（Ｓ５１）。転写電圧補正を実行しない場合（Ｓ２２でＮＯ）、連続して実行される複数の画質調整動作の中にリトライ動作が実行される可能性を有する画質調整動作が１つも含まれていないと判断される。従って、単位時間Ｕに細かい表示分解能としての１秒を設定する（Ｓ５２）。以後は、実施例１と同様に、連続して実行される複数の画質調整の所要時間の合計値を算出し、残調整時間Ｔの初期設定値とする。
【００８３】
（画質調整時間の表示）
次に、実施例３の画質調整時間の表示を説明する。図７（ｂ）は、画質調整時間の表示動作を示す流れ図である。ＣＰＵ３０１は、ＲＯＭ３０２に格納されているプログラムに従って画質調整時間の表示動作を実行する。図７（ｂ）に示す画質調整時間の表示動作において、図７（ａ）の初期設定動作で設定された表示分解能としての単位時間Ｕと残調整時間Ｔが用いられる。ＣＰＵ３０１は、初期設定（Ｓ３１）を実行した後、単位時間Ｕが１０秒であるか否かを判断する（Ｓ５３）。単位時間Ｕが１０秒である場合（Ｓ５３でＹＥＳ）、ＣＰＵ３０１は、残調整時間Ｔを１０秒単位で表示するために残調整時間Ｔを切り上げ演算してディスプレイ３３４に表示すべき表示所要時間Ｄを求める（Ｓ３４）。ＣＰＵ３０１は、表示所要時間Ｄをディスプレイ３３４に表示する（Ｓ３７）。
【００８４】
一方、単位時間Ｕが１０秒でない場合（Ｓ５３でＮＯ）つまり単位時間Ｕが１秒の場合、残調整時間Ｔがそのままディスプレイ３３４に表示すべき表示所要時間Ｄとなる（Ｓ３６）。ＣＰＵ３０１は、表示所要時間Ｄをディスプレイ３３４に表示する（Ｓ３７）。以後は、実施例１と同様であるので、説明を省略する。
【００８５】
（画質調整時間の遷移）
図７の画質調整時間の表示動作に従う所要時間の表示例を表１０に示す。表１０は、転写電圧補正と濃度補正が連続して実行される場合の表示例を示す。
【表１０】
2017116720.tif 000012
【００８６】
残調整時間Ｔは、表１に従って転写電圧補正の５秒に濃度補正の１０秒を加えて１５秒に初期設定される（図７（ａ））。連続して実行される複数の画質調整動作は、リトライ動作が実行される可能性を有する転写電圧補正を含むので、単位時間Ｕは、図７（ａ）のＳ５１で１０秒に設定される。１０秒単位で所要時間を表示するので、表１０に示すように、残調整時間Ｔが１５〜１１秒のとき、ディスプレイ３３４に２０秒が表示される。最初の転写電圧補正動作が成功し、濃度補正動作の実行が開始される。ＣＰＵ３０１は、図７（ｂ）のＳ３９で残調整時間Ｔを再予測する。画質調整動作が転写電圧補正動作から濃度補正動作へ移行しても、単位時間Ｕは、初期設定動作で設定された１０秒に維持される（Ｓ５３でＹＥＳ）。ＣＰＵ３０１は、再予測した残調整時間Ｔに基づいて表示所要時間Ｄを更新する。表１０に示すように、残調整時間Ｔが１０〜１秒のとき、ディスプレイ３３４に１０秒が表示される。濃度補正動作が終了すると残調整時間Ｔ及び表示所要時間Ｄがともに０秒となり、ＣＰＵ３０１は、調整時間表示動作を終了する。
【００８７】
本実施例によれば、最初に実行する転写電圧補正は、粗い分解能で表示し、続けて実行する濃度補正も粗い分解能で表示する。本実施例によれば、残調整時間の表示分解能が統一されるので、表示分解能の変化によってユーザが戸惑うことが無い。
【００８８】
上述で説明したような、画質調整動作を連続して実行する場合の残調整時間表示の方法は、ユーザによって適宜切り替えられるようにしてもよい。
【００８９】
以上のように、リトライ動作が有る画質調整動作を実行する場合、粗い分解能で残調整時間を表示し、リトライ動作が無い画質調整動作を実行する場合、細かい分解能で残調整時間を表示する。これにより、リトライ動作によって実際の画質調整時間が長くなっても、ディスプレイ３３４に表示される残調整時間が減っていないので、ユーザがジョブ再開タイミングを誤ることを低減することができる。よって、ユーザは、出力物の回収タイミングを誤ることが少なくなる。これによって、ユーザビリティの向上に寄与することになる。
【００９０】
上記実施例において、電子写真方式のカラー複写機を例に挙げて画像形成装置１００を説明したが、本発明は、これに限定されるものではない。本発明は、例えば、電子写真プリンタ（例えばカラーレーザビームプリンタ、カラーＬＥＤプリンタ等）、ＭＦＰ（複合機）、ファクシミリ装置、印刷機にも適用できる。また、カラー画像形成装置に限らず、モノクロ画像を形成する画像形成装置にも本発明を適用できる。
【符号の説明】
【００９１】
１００・・・画像形成装置
３０１・・・ＣＰＵ（画質調整部、画質調整時間予測部）
３２０・・・画像形成部
３３４・・・ディスプレイ（表示部）
【図１】
2017116720.tif 000013
【図２】
2017116720.tif 000014
【図３】
2017116720.tif 000015
【図４】
2017116720.tif 000016
【図５】
2017116720.tif 000017
【図６】
2017116720.tif 000018
【図７】
2017116720.tif 000019